(57)【要約】【課題】  音声付き映像の記録開始の指示を、ワイヤレスマイクの電源ＯＮにする操作で実現することで、ワイヤレスマイクそのものの機能を利用しつつ、記録の制御を遠隔操作できる。【解決手段】  ワイヤレスマイクの電源がＯＮになって、そのワイヤレスマイクと接続状態になったかどうかを判定する（303)。そして、接続状態になったと判定された場合に、撮像映像とそのワイヤレスマイクによる音声とを記録を開始する（304)。【選択図】  図３
2013232849.tif 000002
【特許請求の範囲】
【請求項１】
撮像手段を有する撮像装置であって、
ワイヤレスマイクと通信するための通信手段と、
該通信手段によって前記ワイヤレスマイクと接続状態になったか否かを判定する判定手段と、
該判定手段が前記ワイヤレスマイクと接続状態になった場合に記録可能状態と判定し、前記撮像手段による映像と前記ワイヤレスマイクによる音声とを記録する記録制御手段と
を有することを特徴とする撮像装置。
【請求項２】
前記記録制御手段は、予め設定した数のワイヤレスマイクと接続状態になったことを前記記録可能状態の条件とすることを特徴とする請求項１に記載の撮像装置。
【請求項３】
更に、前記撮像手段で得られた画像中の人物の顔を認識する顔認識手段を有し、
前記記録制御手段は、前記顔認識手段で顔が認識されたことを、前記記録可能状態の更なる条件とすることを特徴とする請求項１又は２に記載の撮像装置。
【請求項４】
前記顔認識手段で認識した顔の数が、予め設定した数になったことを、前記記録可能状態の更なる条件とすることを特徴とする請求項３に記載の撮像装置。
【請求項５】
前記通信手段は、Bluetooth規格A2DPによる通信手段であることを特徴とする請求項１乃至４のいずれか１項に記載の撮像装置。
【請求項６】
撮像手段、並びに、ワイヤレスマイクと通信するための通信手段とを有する撮像装置の制御方法であって、
判定手段が、前記通信手段によって前記ワイヤレスマイクと接続状態になったか否かを判定する判定工程と、
記録制御手段が、前記通信手段を介して前記ワイヤレスマイクと接続状態になった場合に記録可能状態と判定し、前記撮像手段による映像と前記ワイヤレスマイクによる音声とを記録する記録制御工程と
を有することを特徴とする撮像装置の制御方法。
【請求項７】
撮像手段、並びに、ワイヤレスマイクと通信するための通信手段とを有する撮像装置内のプロセッサが実行するプログラムであって、
前記プロセッサに、
前記通信手段によって前記ワイヤレスマイクと接続状態になったか否かを判定する判定手段、
前記通信手段を介して前記ワイヤレスマイクと接続状態になった場合に記録可能状態と判定し、前記撮像手段による映像と前記ワイヤレスマイクによる音声とを記録する記録制御手段
として機能させるためのプログラム。
【請求項８】
請求項７に記載のプログラムを格納したコンピュータが読み取り可能な記憶媒体。
【発明の詳細な説明】
【技術分野】
【０００１】
本発明は、撮像装置、その制御方法、プログラム及び記憶媒体に関する。
【背景技術】
【０００２】
例えば、ビデオカメラ装置及び記録方法として、ビデオカメラは、被写体に持たせたワイヤレスマイクと無線で接続し、ワイヤレスマイクが集音した音声信号を受信して記録するものがある（特許文献１）。
【０００３】
また、例えば、電子機器およびコンテンツ再生方法として、オーディオプレーヤは、ワイヤレスヘッドフォンと無線で接続し、その後の切断、再接続によって、オーディオデータの再生を中断、再開するものがある（特許文献２）。
【先行技術文献】
【特許文献】
【０００４】
【特許文献１】特開2006-042271号公報
【特許文献２】特開2004-128673号公報
【発明の概要】
【発明が解決しようとする課題】
【０００５】
従来の撮像装置、その制御方法及びプログラムにおいては、集音機能のみのワイヤレスマイクから、例えば、撮影の開始などの、撮影制御を行うことができないという課題がある。
【０００６】
また、集音に関係するワイヤレスマイクおよび撮像装置の状況、例えば、ワイヤレスマイクの電源投入などのユーザ操作の状況、もしくは、その結果である無線の状況を、効果的に撮影制御に利用していないという問題もある。
【０００７】
本発明は係る問題点に鑑みなされたものであり、音声付き映像の記録開始の指示を、ワイヤレスマイクの電源ＯＮにする操作で実現することで、ワイヤレスマイクそのものの機能を利用しつつ、記録の制御を遠隔操作できる技術を提供しようとするものである。
【課題を解決するための手段】
【０００８】
この課題を解決するため、例えば本発明の撮像装置は以下の構成を備える。すなわち、
撮像手段を有する撮像装置であって、
ワイヤレスマイクロホンと通信するための通信手段と、
該通信手段によって前記ワイヤレスマイクロホンと接続状態になったか否かを判定する判定手段と、
該判定手段が前記ワイヤレスマイクロホンと接続状態になった場合に記録可能状態と判定し、前記撮像手段による映像と前記ワイヤレスマイクロホンによる音声とを記録する記録制御手段とを有する。
【発明の効果】
【０００９】
本発明によれば、ワイヤレスマイクから、例えば、撮影の開始などの撮影制御を行うことができる。
【００１０】
また、集音に関係するワイヤレスマイクおよび撮像装置の状況、例えば、ワイヤレスマイクの電源投入などのユーザ操作の状況、もしくは、その結果である無線の状況を、効果的に撮影制御に利用できる。
【図面の簡単な説明】
【００１１】
【図１】本実施形態における撮像システムの構成図。
【図２】第１の実施形態のデジタルビデオカメラの構成図。
【図３】第１の実施形態における撮影制御部の処理を示すフローチャート。
【図４】第１の実施形態のワイヤレスマイク収容部の処理を示すフローチャート。
【図５】第２の実施形態の撮影制御部の処理を示すフローチャート。
【図６】第２の実施形態のワイヤレスマイク収容部3の処理を示すフローチャート。
【図７】第３の実施形態のデジタルビデオカメラの構成図。
【図８】第３の実施形態の撮影制御部の処理を示すフローチャート。
【発明を実施するための形態】
【００１２】
以下、添付図面に従って本発明に係る実施形態を詳細に説明する。
【００１３】
［第１の実施形態］
図１は、本第１の実施形態における撮像システムの構成を示している。図中の符号101は実施形態で適用する撮像装置としてのデジタルビデオカメラである。102は、ワイヤレスマイクである。
【００１４】
このデジタルビデオカメラ101は、被写体を撮影して映像信号および音声信号を記録、再生する周知の機能を有する。また、デジタルビデオカメラ101は、ワイヤレスマイク102と、Bluetooth規格A2DP（Advanced Audio Distribution Profile）で接続し、ワイヤレスマイク102が集音した音声信号を受信して記録する周知の機能を有する。
【００１５】
ワイヤレスマイク102は、デジタルビデオカメラ101と、Bluetooth規格A2DPで接続し、集音した音声信号をデジタルビデオカメラ101に送信する周知の機能を有する。また、ワイヤレスマイク102は、デジタルビデオカメラ101の撮影制御のための、個別で機能追加が必要な、例えば、Bluetooth規格AVRCP（Audio/Video Remote Control Profile）の機能は有さない。
【００１６】
図２は、本第１の実施形態のデジタルビデオカメラ101の構成を示している。図中、符号201は、デジタルビデオカメラ機能部である。このデジタルビデオカメラ機能部201は、周知のCPU、メモリ、レンズ、CCD、内蔵マイク、スピーカ、液晶ディスプレイ、操作ボタン、電源回路、制御プログラムなどから構成され、周知のデジタルビデオカメラ機能（撮影及び記録媒体への動画像の記録機能）を実現する。
【００１７】
また、図示の符号202は、撮影制御部である。撮影制御部202は、前述のデジタルビデオカメラ機能部201およびワイヤレスマイク収容部203を制御する制御プログラムなどから構成され、デジタルビデオカメラの撮影記録制御に係る処理を行う。この撮影制御部202の処理については、図３を用いて後述する。
【００１８】
また、図示の符号203は、ワイヤレスマイク収容部である。ワイヤレスマイク収容部203は、Bluetooth規格に対応した周知の無線チップ、アンテナおよび制御プログラムなどから構成され、ワイヤレスマイク102と無線で接続し、ワイヤレスマイク102が集音した音声信号を受信する。ワイヤレスマイク収容部203の処理については、図４を用いて後述する。
【００１９】
図３は、本第１の実施形態における撮影制御部202の処理を示している。この処理は、ユーザ操作によって、デジタルビデオカメラ101の電源が投入された場合にCPUによって開始される。
【００２０】
処理が開始されると、まず、ユーザ操作によって、ワイヤレスマイク102を使用して撮影するか否か、モード設定されるのを待つ（301）。ワイヤレスマイク102を使用して撮影するモードでない場合、301に戻る。なお、選択可能なモードが幾つもある場合には、選択されたモードに移行するようにしても良い。なお、実施形態におけるワイヤレスマイク102を用いるモードは、ワイヤレスマイク102を持つ者が被写体である場合に好都合なモード（所謂、自分撮りモード）である。
【００２１】
一方、301において、ワイヤレスマイク102を使用して撮影するモードが選択された場合、デジタルビデオカメラ101が有する液晶ディスプレイにて、ワイヤレスマイクの電源投入によって撮影を開始する旨を、液晶ディスプレイに表示する（302）。次に、ワイヤレスマイク収容部203に、ワイヤレスマイク102との接続を指示し、ワイヤレスマイク収容部203から、接続が完了した旨の通知を待つ（303）。
【００２２】
ワイヤレスマイク収容部203から、ワイヤレスマイク102との接続が完了した旨の通知があると、記録可能状態になったものと見なし、撮影記録を開始する（304）。すなわち、光学系による撮影及び撮影して得られた動画像データとワイヤレスマイク102からの音声データとを、例えばＭＰＥＧ形式で不図示の記録媒体への記録を開始する。
【００２３】
次に、液晶ディスプレイにて、ワイヤレスマイクの電源切断によって撮影を終了する旨の、表示を行う（305）。
【００２４】
次に、ワイヤレスマイク収容部203から、ワイヤレスマイク102と切断した旨の通知を待つ（306）。次に、ワイヤレスマイク収容部203から、切断した旨の通知があると、撮影を終了し（307）、301に戻る。
【００２５】
図４は、本第１の実施形態のワイヤレスマイク収容部203の処理を示している。
【００２６】
この処理は、ユーザ操作によって、デジタルビデオカメラ101の電源が投入された場合に開始される。
【００２７】
処理が開始されると、ワイヤレスマイク収容部203は、撮影制御部202から、ワイヤレスマイク102との接続の指示があるのを待つ（401）。撮影制御部202から接続の指示があると、Bluetooth規格GAP(Generic Access Profile)及びSDAP(Service Discovery Application Profile)を使用して、ワイヤレスマイク102の探索を行う（402）。そして、ワイヤレスマイク102が探索により発見されると、ワイヤレスマイク102と、Bluetooth規格A2DPで接続する（403）。この接続が完了すると、その旨を、撮影制御部202に通知する（404）。
【００２８】
次に、ワイヤレスマイク102との接続状態を監視し（405）、切断していなければ、405に戻る。
【００２９】
一方、405において、切断していれば、その旨を、撮影制御部202に通知し（406）、401に戻る。
【００３０】
以上説明したように実施形態によれば、ワイヤレスマイクの電源のＯＮ／ＯＦＦで、録画の開始／終了が設定できる。従って、本実施形態にデジタルビデオカメラ101によれば、例えば、デジタルビデオカメラ101の画角内に操作者を位置させた状態で、ワイヤレスマイクの電源のＯＮ／ＯＦＦで、映像及び音声の記録／終了を制御できることになる。すなわち、簡単な構成で自分撮りモードとして機能させることができる。
【００３１】
［第２の実施形態］
以下、図５〜図６を参照して、第２の実施形態を説明する。なお、装置構成は第１の実施形態と同じとする。ただし、第１の実施形態とは、ワイヤレスマイク102を複数収容できるようにし、無線の品質に応じた撮影制御を考慮し、撮影制御部202の処理、および、ワイヤレスマイク収容部203の処理を異なるようにした。
【００３２】
図５のフローチャートは、本第２の実施形態における撮影制御部202（撮像装置内のCPU等のプロセッサ）の処理を示している。この処理は、ユーザ操作によって、デジタルビデオカメラ101の電源が投入された場合に開始される。また、ユーザ操作によって、予め、接続されるワイヤレスマイクの数を設定しておくこととする。この数は、再度設定し直さない限り、揮発しないようにするため、不揮発性メモリ内に格納されているものとする。
【００３３】
処理が開始されると、撮影制御部202は、まずユーザ操作によって、ワイヤレスマイク102を使用して撮影するか否か、モード設定されるのを待つ（501）。
【００３４】
次に、501において、ワイヤレスマイク102を使用して撮影するモードでない場合、501に戻る。なお、選択可能なモードが幾つもある場合には、選択あれたモードに移行するようにしても良い。
【００３５】
一方、501において、ワイヤレスマイク102を使用して撮影するモードが指定されたと判断した場合、液晶ディスプレイにて、探索した全てのワイヤレスマイクの電源投入によって撮影を開始する旨の、表示を行う（502）。この場合の、ワイヤレスマイクの数は、先に説明したように、少なくとも予め設定したワイヤレスマイクの数である。
【００３６】
次に、ワイヤレスマイク収容部203に、探索した全てのワイヤレスマイク102との接続を指示し、ワイヤレスマイク収容部203から、接続が完了した旨の通知を待つ（503）。
【００３７】
次に、ワイヤレスマイク収容部203から、接続が完了した旨の通知があると、撮影を開始する（504）。すなわち、光学系による撮影及び撮影して得られた動画像データと、全ワイヤレスマイクからの音声データとを、例えばＭＰＥＧ形式で不図示の記録媒体への記録を開始する。
【００３８】
次に、液晶ディスプレイにて、何れかのワイヤレスマイクの品質悪化によって撮影を終了する旨の、表示を行う（505）。次に、ワイヤレスマイク収容部203から、何れかのワイヤレスマイク102の品質が悪化した旨の通知を待つ（506）。次に、ワイヤレスマイク収容部203から、悪化した旨の通知があると、撮影を終了し（507）、301に戻る。
【００３９】
図６のフローチャートは、本第２の実施形態のワイヤレスマイク収容部203の処理を示している。この処理は、ユーザ操作によって、デジタルビデオカメラ101の電源が投入された場合に開始される。
【００４０】
処理が開始されると、まず、撮影制御部202から、ワイヤレスマイク102との接続の指示があるのを待つ（601）。
【００４１】
次に、撮影制御部202から、接続の指示があると、Bluetooth規格GAP(Generic Access Profile)及びSDAP(Service Discovery Application Profile)を使用して、ワイヤレスマイク102の探索を行う（602）。
【００４２】
次に、ワイヤレスマイク102が探索により発見されると、発見した全てのワイヤレスマイク102と、Bluetooth規格A2DPで接続する（603）。
【００４３】
次に、接続が完了すると、接続が完了したワイヤレスマイク102の数が、予め設定された数以上ある場合、その旨を、撮影制御部202に通知する（604）。
【００４４】
次に、接続状態である全てのワイヤレスマイク102との接続状態を監視し（605）、通信品質、例えば、信号対ノイズ比が、所定値以上の接続中のワイヤレスマイクの数が、設定した数以上あれば605に戻る。
【００４５】
一方、605において、何れかのワイヤレスマイク102の通信状態について、信号対ノイズ比が、所定値以下である、或いは、通信が途絶え、信号体対ノイズ比が所定値以上の接続中のワイヤレスマイクの数が、設定した数を下回る場合には、その旨を、撮影制御部202に通知し（606）、401に戻る。
【００４６】
以上説明した本第２の実施形態は、デジタルビデオカメラ101により、複数の人物を撮影し、その会話を録画する場合を想定すると分かりやすい。すなわち、３脚等でデジタルビデオカメラ101を固定し、複数の人物が画角内に収まるようにした上で、各人はワイヤレスマイクの電源をＯＮにした場合に、録画及び音声の記録が開始される。
【００４７】
［第３の実施形態］
以下、図７〜図８を参照して、本発明の第３の実施形態を説明する。ただし、デジタルビデオカメラ101には、撮像画像中の顔を認識する顔認識機能を有するものとし、その上で撮影制御部702の処理、および、ワイヤレスマイク収容部703が処理する点が、上記第１，第２の実施形態と異なる。
【００４８】
図７は、本第３の実施形態のデジタルビデオカメラ101の構成を示している。図中、符号701は、デジタルビデオカメラ機能部である。デジタルビデオカメラ機能部701は、第１，第２の実施形態のデジタルカメラ機能部201と同様であるので、説明を省略する。符号702は、撮影制御部である。この撮影制御部702は、前述のデジタルビデオカメラ機能部701、ワイヤレスマイク収容部703および顔認識部704を制御する制御プログラムなどから構成され、デジタルビデオカメラの撮影制御を行う。撮影制御部702の処理については、図８で説明する。
【００４９】
703は、ワイヤレスマイク収容部である。ワイヤレスマイク収容部703は、第１，第２の実施形態のワイヤレスマイク収容部203と同様であるので、説明を省略する。
【００５０】
704は、顔認識部である。この顔認識部704は、被写体となる人物の顔が撮像された映像に含まれるかを認識する、デジタルビデオカメラ101の周知の機能であるが、撮影制御部702の説明のため、あえて記載した。
【００５１】
図８のフローチャートは、本第３の実施形態の撮影制御部702の処理を示している。この処理は、ユーザ操作によって、デジタルビデオカメラ101の電源が投入された場合に開始される。
【００５２】
処理が開始されると、撮影制御部702は、ユーザ操作によって、ワイヤレスマイク102を使用して撮影するか否か、モード設定されるのを待つ（801）。
【００５３】
次に、801において、ワイヤレスマイク102を使用して撮影するモードでない場合、801に戻る。なお、選択可能なモードが幾つもある場合には、選択あれたモードに移行するようにしても良い。
【００５４】
一方、801において、ワイヤレスマイク102を使用して撮影するモードである場合、液晶ディスプレイにて、ワイヤレスマイクの電源投入、かつ、顔認識が確認された場合に、撮影を開始する旨の、表示を行う（802）。
【００５５】
次に、ワイヤレスマイク収容部703に、ワイヤレスマイク102との接続を指示し、ワイヤレスマイク収容部703から、接続が完了した旨の通知を待つ（803）。
【００５６】
次に、ワイヤレスマイク収容部703から、接続が完了した旨の通知があると、顔認識が確認されるのを待つ（804）。
【００５７】
ワイヤレスマイクの接続が完了し、尚且つ、顔の認識が確認されると、撮影を開始する（805）。すなわち、光学系による撮影及び撮影して得られた動画像データと、ワイヤレスマイクからの音声データとを、例えばＭＰＥＧ形式で不図示の記録媒体への記録を開始する。
【００５８】
次に、液晶ディスプレイにて、ワイヤレスマイクの電源切断によって撮影を終了する旨の、表示を行う（805）。次に、ワイヤレスマイク収容部703から、ワイヤレスマイク102と切断した旨の通知を待つ（806）。次に、ワイヤレスマイク収容部703から、切断した旨の通知があると、撮影を終了し（807）、701に戻る。
【００５９】
以上説明したように、第３の実施形態によれば、確実に人物（の顔）が画角内に存在し、且つ、ワイヤレスマイクの電源がＯＮになった場合に、記録可能条件となったと判定し、音声付きの撮影記録が開始されることになる。なお、第３の実施形態の、記録を開始する条件に、第２の実施形態で説明したように、ワイヤレスマイクの数を条件に加えても構わない。更に、認識する顔の数も条件に加えても構わない。そして、これらの組合わせても構わない。
【００６０】
また、第１乃至第３の実施形態に、記録可能条件を満たした場合（第１の実施形態では、ワイヤレスマイクが電源ＯＮとなって、通信可能状態になることを）に、直ちに記録を開始するものとしたが、例えば、この記録可能条件を満たした場合、実際に記録が開示されるタイミングをカウントダウンして外部に報知するようにしても良い。報知の仕方としては、不図示のスピーカから、５、４、…とカウントダウンし、０になったタイミングで記録を開始すれば良いであろう。場合によっては、ＬＥＤの点滅で知らせても構わない。
【００６１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013232849.tif 000003
【図２】
2013232849.tif 000004
【図３】
2013232849.tif 000005
【図４】
2013232849.tif 000006
【図５】
2013232849.tif 000007
【図６】
2013232849.tif 000008
【図７】
2013232849.tif 000009
【図８】
2013232849.tif 000010